(57)【要約】【課題】複数の機器の間における負の連鎖を発見し、この負の連鎖を解消する代替機器案を提示する。【解決手段】機器情報データ入力部２と、環境要素データを保持する環境要素データベース１と、環境要素データに基づき連鎖グラフを生成する連鎖グラフ生成部３と、各機器による観測データと所定のパラメータとに基づき複数の機器のうちの環境指標に応じた所望の指標値を有する２以上の機器を含む機器集合データを生成する機器集合データ生成部６と、連鎖グラフと機器集合データに基づき複数の機器のうちの指標値を変動させる関係にある２以上の機器を含む負の連鎖機器集合データを抽出する負の連鎖機器集合データ抽出部７と、連鎖グラフと負の連鎖機器集合データに基づき負の連鎖状態にある機器の代替機器の集合データを生成する代替機器集合データ生成部８とを備える。【選択図】図１
2008152633.tif 000002
【特許請求の範囲】
【請求項１】
機器の使用によって生じる主効果、機器の使用によって生じる副効果、及び負荷を変動させるための負荷増大要因を含む機器情報のデータを入力するための機器情報データ入力部と、
前記主効果、前記副効果、及び前記負荷変動要因からなる環境要素のデータを保持する環境要素データベースと、
前記環境要素データに基づいて、各機器を表す頂点、各環境要素を表す頂点、及びこれらの頂点のうちのいずれか１以上の頂点の間を接続する有向辺からなる連鎖グラフを生成する連鎖グラフ生成部と、
各機器によって観測された観測データと所定のパラメータとに基づいて、複数の機器のうちの環境指標に応じた所望の指標値を有する２つ以上の機器を含む機器集合のデータを生成する機器集合データ生成部と、
前記連鎖グラフと前記機器集合のデータとに基づいて、前記複数の機器のうちの前記指標値を変動させる関係にある２以上の機器を含む負の連鎖機器集合のデータを抽出する負の連鎖機器集合データ抽出部と、
前記連鎖グラフと前記負の連鎖機器集合のデータとに基づいて、負の連鎖が生じている状態にある機器を代替する代替機器集合のデータを生成する代替機器集合データ生成部と、を備えたことを特徴とする環境負荷行動抑制データ生成装置。
【請求項２】
前記連鎖グラフ生成部は、前記環境要素データに基づき、前記連鎖グラフに、前記主効果のデータから機器への有向辺、機器から前記副効果のデータへの有向辺、及び前記負荷変動要因のデータから機器への有向辺を含めることを特徴とする請求項１記載の環境負荷行動抑制データ生成装置。
【請求項３】
前記負の連鎖機器集合データ抽出部は、前記連鎖グラフの中から、前記機器集合に含まれる２つ以上の機器の間に存在する有効閉路データを検出し、この有効閉路データに存在する複数の機器データを、前記負の連鎖機器集合データとして抽出することを特徴とする請求項１記載の環境負荷行動抑制データ生成装置。
【請求項４】
前記機器集合データ生成部は、各機器が消費した電力量の時系列のデータからなる観測電力量データと所定のパラメータとに基づいて、複数の機器のうちの閾値以上の電力量を消費する２つ以上の機器を含む機器集合のデータを生成することを特徴とする請求項１記載の環境負荷行動抑制データ生成装置。
【請求項５】
前記負の連鎖機器集合データ抽出部は、前記連鎖グラフと前記機器集合のデータとに基づいて、前記複数の機器のうちの電力消費についての因果関係を有する２以上の機器を含む負の連鎖機器集合のデータを抽出することを特徴とする請求項１記載の環境負荷行動抑制データ生成装置。
【請求項６】
前記代替機器集合データ生成部は、前記代替機器集合が無いと判定した場合には、各機器の使用状況の変更を推薦するレポートデータを生成することを特徴とする請求項１記載の環境負荷行動抑制データ生成装置。
【発明の詳細な説明】
【技術分野】
【０００１】
本発明は、例えば複数の機器の使用による消費電力を低減させるための環境負荷行動抑制データ生成装置に関する。
【背景技術】
【０００２】
京都議定書で決められた温室効果ガスの排出量を１９９０年の排出量から６％削減させるという目標を達成するためには、一般家庭における省エネが必要不可欠である。環境負荷を低減させるための対策の効果を確認するためには、何らかの指標を設定しその値を観測する必要がある。指標としては二酸化炭素排出量や廃棄物量等、様々なものが想定されるが、消費電力量は代表的な指標の一つである。電気料金は電力量から電力料金表を用いて一意に計算されるので、環境負荷の大きさを測るためには、この電気料金を指標の一例として用いることができる。電気料金がかさむということは、家の中において、テレビ、パソコン、エアコンといった機器（家電機器、電化製品又は電気製品）の間に、負の連鎖が生じていることが考えられる。
【０００３】
負の連鎖においては、図８に示すように、番組視聴などによりテレビが使用されると（ステップＰ１）、テレビから熱が放出されて部屋の温度が上昇し（ステップＰ２）、エアコンが使用され始め、あるいはエアコンの強度が上げられるので（ステップＰ３）、エアコンの騒音が発生し（ステップＰ４）、テレビの音量が上げられる（ステップＰ５）。テレビからは、更なる熱が放出されるため、悪循環が生じ、この結果、テレビ及びエアコンの電気料金が高くなることがある。
【０００４】
家庭内における各機器は、「暑い部屋の温度を下げる」等の何らかの欲求を解決する機能をもつが、同時に副作用による効果を発生させることが多い。それらの副作用が、機器の使用者に対して何らかの不快感を起こさせる場合には、その不快感を解消するための新たな欲求が発生する。
【０００５】
また、新たな欲求を解決するため、第二の機器が使用され始めた場合には、その第二の機器によって発生する副作用が、最初の第一の機器によって発生した効果と同様の効果を発生させ、結果として、第一の機器の使用を促進させる可能性がある。第一の機器の使用を促進するためのこれらの条件が成立した場合、複数の機器の間で連鎖的に使用電力量が大きくなって、本来の欲求を充足するために必要な電力量を大きく上回る電力が消費される。
【０００６】
従来、家庭で使用される電力、ガス、水道等のエネルギーの消費量を低減するための省エネルギー支援方法（特許文献１参照）が知られている。ユーザの状況を認識することによりユーザにとって非意図的にその状況に適した環境を提供するために複数の機器を強調制御するようにした機器制御装置も提案されている（特許文献２参照）。
【特許文献１】特開２００１−３４４４１２号公報
【特許文献２】特開２００５−１２８９７６号公報
【発明の開示】
【発明が解決しようとする課題】
【０００７】
負の連鎖が生じている状態を解決するためには、使用される機器の特性を把握することが必須であるが、多数の機器についての特性を、人間が網羅的に記憶することは困難である。また、３つ以上の機器の間の連鎖状態においては、機器どうしの組み合わせ数が膨大なので、それらの機器を特定することも容易ではない。
【０００８】
そこで本発明は、上記の課題に鑑み、家庭などにおいて使用される複数の機器の間における負の連鎖を発見し、この負の連鎖を解消する代替機器案を提示することが可能な、環境負荷行動抑制データ生成装置を提供することを目的とする。
【課題を解決するための手段】
【０００９】
このため、本発明の一態様によれば、機器の使用によって生じる主効果、機器の使用によって生じる副効果、及び負荷を変動させるための負荷増大要因を含む機器情報のデータを入力するための機器情報データ入力部と、前記主効果、前記副効果、及び前記負荷変動要因からなる環境要素のデータを保持する環境要素データベースと、前記環境要素データに基づいて、各機器を表す頂点、各環境要素を表す頂点、及びこれらの頂点のうちのいずれか１以上の頂点の間を接続する有向辺からなる連鎖グラフを生成する連鎖グラフ生成部と、各機器によって観測された観測データと所定のパラメータとに基づいて、複数の機器のうちの環境指標に応じた所望の指標値を有する２つ以上の機器を含む機器集合のデータを生成する機器集合データ生成部と、前記連鎖グラフと前記機器集合のデータとに基づいて、前記複数の機器のうちの前記指標値を変動させる関係にある２以上の機器を含む負の連鎖機器集合のデータを抽出する負の連鎖機器集合データ抽出部と、前記連鎖グラフと前記機器集合のデータとに基づいて、前記複数の機器のうちの前記指標値を変動させる関係にある２以上の機器を含む負の連鎖機器集合のデータを抽出する負の連鎖機器集合データ抽出部と、前記連鎖グラフと前記負の連鎖機器集合のデータとに基づいて、負の連鎖が生じている状態にある機器を代替する代替機器集合のデータを生成する代替機器集合データ生成部と、を備えたことを特徴とする環境負荷行動抑制データ生成装置が提供される。
【発明の効果】
【００１０】
本発明によれば、複数の機器のうちの負の連鎖の状態にある機器を特定することができ、また、指標の一つとしての電気料金がかからない機器の組み合わせを使用者が知ることによって、環境負荷を低減させるための対策をとることができる。
【発明を実施するための最良の形態】
【００１１】
以下、本発明の実施の形態に係る環境負荷行動抑制装置について、図１乃至図７を参照しながら説明する。尚、各図において同一箇所については同一の符号を付すとともに、重複した説明は省略する。
【００１２】
本発明の実施の形態に係る環境負荷行動抑制データ生成装置は、機器の使用によって負の連鎖が生じているか否かの判定を行い、負の連鎖が生じている場合には、その負の連鎖を解消する機器の組み合わせを表示するデータを生成するものである。この環境負荷行動抑制データ生成装置は、家庭内に設けられた複数の機器と有線又は無線のネットワークを介して接続されたサーバー装置に実装されており、図１に示すように、機器の主効果、副効果及び負荷増大要因を含む機器情報データを記録する機器情報データベース１と、この機器情報データベース１に対して機器情報データを入力するための機器情報入力部２と、各機器及び各環境要素を表す頂点とこれらの頂点間を接続する有向辺とを有する連鎖グラフを生成する連鎖グラフ生成部３と、複数の時点ごとに記録され、各機器の電力使用状況を示すデータを保持する消費電力量データベース４と、この消費電力量データベース４に対して電力使用状況データを入力するための観測データ入力部５と、決められた閾値以上の電力量を消費する２つ以上の候補としての機器集合のデータを生成する候補生成部６と、連鎖グラフに基づき候補群としての機器間の有向閉路を探索し、有向閉路が存在する場合にはその有向閉路を負の連鎖と認定してその有向閉路上にある２以上の機器を負の連鎖の機器集合と判定する負の連鎖集合抽出部７と、負の連鎖状態にある機器を代替する代替機器集合のデータを代替案として生成する代替案生成部８と、代替機器集合のレポートを出力するレポート出力部９とを備えている。
【００１３】
機器情報入力部２は、機器と機器に関連づけられた主効果、副効果及び負荷増大要因とからなる機器情報のデータから、「番組の視聴」、「快適な温度の設定」といった各機器の使用による効用、「騒音」といった環境に影響を与える要因、及び「番組を視聴したい」、「温度を下げたい」といった人間の欲求からなる環境要素のデータベースを作成するものである。機器情報入力部２の機能は、使用者がキーボード等を用いて、サーバー装置に入力することによって実現される。
【００１４】
機器情報データベース１には、図２に示すように、機器ごとに主効果、副効果及び負荷増大要因の各欄が設けられ、各欄に温度上昇、騒音といった「環境要素」集合から選択されたデータが格納される。機器情報データベース１の機能は、サーバー装置の内部又は外付けのハードディスク、フラッシュメモリ、書き込み可能なＤＶＤやコンパクトディスクなどの記録媒体によって実現される。なお、機器の消費電力値に対してＣＯ２の発生量などの指標値を出力する環境負荷計算関数を各機器に関連づけてもよい。
【００１５】
連鎖グラフ生成部３は、環境要素データに基づいて、連鎖グラフを生成するものである。この連鎖グラフは、図３に示すように、各機器を表す丸形頂点１０−１３、各環境要素を表す方形頂点１４−１７、有向辺１８−２２、有向辺２３−２５、及び有向辺２６、２７を含む。
【００１６】
また、図１の観測データ入力部５は、各機器が消費した電力量の時系列の消費電力量データを観測データとして収集する消費電力量データ収集部である。観測データの収集は、不図示のネットワークを介して行われる。
【００１７】
消費電力量データベース４は、各機器が消費した電力量の時系列のデータを保持するものである。消費電力量データベース４には、サーバー装置の記憶媒体が用いられる。
【００１８】
候補生成部６は、消費電力量データベース４に保持された複数の観測電力量データとアプリオリ（Apriori）アルゴリズム等の実行時に用いられるパラメータとに基づいて、複数の機器のうちの所望の閾値以上の電力量を消費する２つ以上の機器を含む機器集合（ないしは候補機器集合）のデータを生成するものであり、機器集合データ生成部として機能する。この候補生成部６は、アプリオリアルゴリズムを用いて、同じ時間帯において同時に使用されている複数の機器の組み合わせを抽出し、抽出した機器の組み合わせを同時に起きる共起集合として候補に挙げる。
【００１９】
消費電力量データベース４には、図４に示すように、一例として、４つの時間帯における機器それぞれの電力量データが保持されている。例えば１４時時点から１５時時点までの時間帯ｔ１において各機器が消費又は使用した電力量が、平均消費電力（Ｗ）として表されている。候補生成部６は、同じ時間帯において、一定値（例えば１００Ｗ）以上の電力を消費する機器を機器候補集合として抽出する。
【００２０】
連鎖集合抽出部７は、連鎖グラフと機器集合データとに基づいて、複数の機器のうちの電力消費についての因果関係を有する２以上の機器を含む負の連鎖機器集合データを抽出する負の連鎖機器集合データ抽出部である。
【００２１】
代替案生成部８は、連鎖グラフと負の連鎖機器集合データとに基づいて、負の連鎖が生じている状態にある２以上の機器を代替する代替機器の集合を代替案のデータとして生成する代替機器集合データ生成部である。
【００２２】
レポート出力部９は、代替案生成部８により生成された代替機器集合のデータを自然言語で記述された代替機器集合のレポートとして出力するものである。
【００２３】
また、連鎖グラフ生成部３、候補生成部６、負の連鎖集合抽出部７、代替案生成部８及びレポート出力部９の各機能は、サーバー装置のＣＰＵ（中央演算装置）、ＲＯＭ、ＲＡＭなどによって実現される。
【００２４】
このような構成の環境負荷行動抑制データ生成装置における負の連鎖集合データの抽出処理は、図５のステップＳ１に示すように、まず、機器情報入力部２が、テレビ、パソコン、エアコン等についての機器情報から機器情報データベース１を作成する。
【００２５】
ステップＳ２において、連鎖グラフ生成部３は、以下に示すルールにより、機器情報データから、それぞれの機器及び環境要素を頂点として有する連鎖グラフを生成する。連鎖グラフ生成部３は、機器情報データベース１に保持されたデータ間の因果関係に基づいて、これらの頂点間に、「温度上昇」、「番組視聴」、「情報処理」等、主効果のデータとして記述された環境要素から機器への有向辺１８−２２（図３で点線で表されたもの）を設定し、「騒音」等、機器から副効果のデータとして記述された環境要素への有向辺２３−２５（破線で表されたもの）を設定し、そして、負荷変動要因のデータとして記述された環境要素から機器への有向辺２６、２７（実線で表されたもの）を設定する。これにより、機器情報データベース１に保持された丸形頂点１０−１３及び方形頂点１４−１７間の関係が、有向辺を用いてモデル化される。
【００２６】
引き続き、ステップＳ３において、観測データ入力部３は、機器情報データベース１に記載された各機器について、単位時間当たりの消費電力量データを収集し、このデータを一定期間蓄積した後、電力消費状況を表す時系列のデータを生成する。観測時点間の間隔や、観測時間帯の数や、消費電力量データの蓄積期間の長さなどは種々変更することができ、また、これらはサーバー装置へ人間の入力によって与えられてもよい。
【００２７】
続いて、候補生成部６は、予め入力しておいた電力量の閾値１００Wに基づいて、消費電力量データベース４に保持された観測データのうちの閾値以上のデータを１に変換し、閾値よりも小さいデータを０に変換する。
【００２８】
ステップＳ４において、候補生成部６は、アプリオリアルゴリズムを実行することにより共起集合を抽出する。このアプリオリアルゴリズムのパラメータとしては、観測された複数の時間帯に対してテレビとエアコンとを同時に含む時間帯がどの程度の割合を占めるかを表す支持度が０．５とされ、また、テレビを含む時間帯に対してテレビとエアコンとを同時に含む時間帯がどの程度の割合を占めるかを表す確信度が１．０とされる（解説書として例えば福田剛志、森本康彦、徳山豪著、共立出版、２００１年、「データマイニング」）。
【００２９】
このアプリオリアルゴリズムの実行においては、観測された消費電力量のデータに基づいて、図６に示すように、負の連鎖の候補集合として（テレビ，エアコン）の２つの機器が得られる。これにより、テレビが使用されているときには常にパソコンが使用されている等の状況が判明したり、あるいはパソコンが使用されているときには扇風機が使用されていることが多い等の状況が判明する。
【００３０】
次に、ステップＳ５において、負の連鎖集合抽出部７は、連鎖グラフに対し、以下の１〜３に示すアルゴリズムを実行することにより負の連鎖集合を決定し抽出する（グラフアルゴリズムの解説書として例えば石畑清著、岩波書店、１９８９年、「アルゴリズムとデータ構造」）。
【００３１】
１：負の連鎖集合抽出部７は、連鎖グラフを、１又は複数の強連結成分に分解する。連鎖グラフは頂点１０−１７及び有向辺１８−２７を有する有向グラフであるため、この分解処理においては、連鎖グラフの頂点１０−１７のうちの２つの頂点間に双方向の有向道（全て同じ向きの有向辺からなる道）が存在しかつ極大である１又は複数の部分グラフの有無が検索される。
【００３２】
２：負の連鎖集合抽出部７は、各強連結成分に、２つ以上の負の連鎖候補集合に属する機器が含まれているかどうかを、機器情報データベース１の中から、負の連鎖候補集合であるテレビやエアコンに対して有向辺を設定している環境要素を探索する。具体的には、負の連鎖集合抽出部７は、図６の頂点１０に対して有向辺２０を設定している頂点１６と頂点１２に対して有向辺１８を設定している頂点１４とを探索する。
【００３３】
さらに、負の連鎖集合抽出部７は、検索した環境要素に対して有向辺を設定している負の連鎖候補集合に属する機器と異なる別の機器を選択する。具体的には、負の連鎖集合抽出部７は、頂点１６に接続されている頂点１１と、頂点１４に接続されている頂点１３とを選択する。負の連鎖集合抽出部７は、選択した機器と負の連鎖候補集合機器との間に他の有向閉路があるかどうかを検索する。具体的には、負の連鎖集合抽出部７は、頂点１１と頂点１２の間の有向閉路について、機器情報データベース１のデータを検索することにより無いと判断し、また、頂点１３と頂点１０との間の有向閉路についても無いと判断する。これにより、有向閉路Ｌが抽出される。
【００３４】
また、この有向閉路の抽出処理において、負の連鎖集合抽出部７は、扇風機とテレビとの間、パソコンとエアコンとの間のそれぞれに、テレビとエアコンとの間の負の連鎖を抽出するときのアルゴリズムと同じアルゴリズムを用いて、負の連鎖の有無を探索し、連鎖グラフの有向閉路の有無を判定する。これらの処理は、点線により表される環境要素のもつ「欲求」、すなわち、テレビやエアコンを何のために使用するか、という点に基づくものである。テレビとエアコンが両方使用されていることは、使用者が番組を視聴したいという欲求と、温度上昇を解消したいという欲求とに基づくので、負の連鎖集合抽出部７が、機器情報データベース１から各機器と欲求との間の因果関係を抽出することにより、負の連鎖集合において、ある種の「満たしたい」という欲求がリストアップされる。図６の例では、テレビとエアコンとの間に因果関係が有ることが発見されている。
【００３５】
３：負の連鎖集合抽出部７は、全ての負の連鎖集合を出力する。
【００３６】
このように、連鎖グラフによって、負の連鎖候補集合に含まれる機器間に連鎖についての因果関係の存在の有無が確認される。
【００３７】
次に、ステップＳ６において、代替案生成部８は、機器情報データベース１のデータを検索することによって、負の連鎖を解消するための機器の組み合わせを探索する。代替案生成部８は、負の連鎖集合に属する機器に与えられた主効果を保ちつつ、因果関係をもたない機器の組み合わせを、以下に示す４〜７からなるアルゴリズムの実行により検索する。
【００３８】
４：代替案生成部８は、連鎖グラフにおいて負の連鎖集合に属する機器に接続されている主効果の頂点を抽出する。
【００３９】
５：代替案生成部８は、主効果を表す頂点ごとに、これらの頂点に接続された有向辺に接続された頂点が表す機器を選択する。
【００４０】
６：代替案生成部８は、５にて選択した全ての頂点が、互いに異なる複数の強連結成分に属しているかどうかを検証する。
【００４１】
７：代替案生成部８は、６の検証処理が成立する場合には、５において選択した機器の集合を出力し処理を終了する。一方、代替案生成部８は、６の検証において、選択された全ての頂点が同じ強連結成分に属している場合には、５の処理を再度行う。代替案生成部８は、全ての機器の組み合わせについて、５、６の処理を行うと、「代替案無し」というデータを出力して処理を停止する。
【００４２】
具体的には、代替案生成部８は、テレビ及びエアコンと、家の中の他の全ての機器の間との組み合わせを、総当り方式を用いてチェックする。すなわち、扇風機とテレビ、エアコンとパソコン、扇風機とパソコンについてもチェックされる。家庭においては１つの主効果を満たす機器の数と同時に使用される機器の数とは限られているため、５における組み合わせの探索処理を有限時間内に終了させることが可能である。
【００４３】
図７にテレビ及びエアコンの各主効果ノードを星印により明示した。これらの「温度上昇」や「番組視聴」といった欲求を満たすための代替案として、テレビと扇風機とが選択される。両者の間には因果関係が存在しないので、代替案として妥当である。この代替機器の選択処理では、人間の高揚感を満たしつつ、かつ人間に不愉快と感じさせないような機器の組み合わせがデータベース上で選択される。代替案生成部８は、涼しさという欲求が満たされたまま負の連鎖が解消されるとデータベース上で判断し、エアコンの代わりに扇風機を選択し、テレビとエアコンとの組み合わせを出力したといえる。
【００４４】
次に、ステップＳ７において、レポート生成部９は、代替案生成部８により出力された結果を自然言語のレポートとして出力する。レポート生成部９は、代替案が存在する場合には代替案の機器集合を出力し、代替案が存在しない場合には作業時間帯の変更を提案する文章あるいは各機器の使用状況の変更を推薦するレポートを出力する。
【００４５】
このように、本発明によれば、各機器についてのデータベースから、各機器と欲求を含む環境要素との間の因果関係を表すグラフが生成され、このグラフに基づいて「負の連鎖」の有無が判定され、また、負の連鎖が存在すると判定された場合には、人間の行動を解消するために、代替機器案が提示される。このようにして、使用者は電気料金がかからない機器の組み合わせを知ることができ、家庭での電気料金を減らすことができる。また、環境へ負荷を与える人間の行動が抑制又は解消され、環境負荷を低減させるための対策をとることができる。
【００４６】
上記の実施形態においては、各機器のデータは、キーボード等から環境負荷行動抑制データ生成装置へ入力されても良いが、各機器が保持する情報は、ネットワークを経由して環境負荷行動抑制データ生成装置に送信されるようにしても良い。ネットワークの形態としては、有線LANのみならず無線ＬＡＮを用いることができ、あるいは、Bluetooth（登録商標）や赤外線通信などの規格によるものを利用してもよい。
【００４７】
上記の実施形態においては、環境負荷行動抑制データ生成装置は単体で動作するものであったが、環境負荷行動抑制データ生成装置は、冷蔵庫やルーター等、常時稼動している状態にある機器の中に組み込んでも良い。
【００４８】
なお、本発明は上記実施形態そのままに限定されるものではなく、実施段階ではその要旨を逸脱しない範囲で構成要素を変形して具体化できる。アプリオリアルゴリズムの実行に用いられる２つのパラメータは、初期値として予めサーバー装置に設定されても良く、あるいは、都度サーバー装置に入力されても良い。各パラメータは、負の連鎖状態において発見しようとする現象に応じて種々の値に変更可能である。また、電力量と異なる環境指標を、負の連鎖の抽出処理に用いることもできる。
【００４９】
上記実施形態の例は電力量から電力料金表を用いて一意に計算される電気料金を指標として用いるものだが、本発明が有効に動作する指標としてはこれに限定されるものではない。本発明は、将来使用される可能性のある環境指標などを用いることもできる。
【図面の簡単な説明】
【００５０】
【図１】本発明の実施の形態に係る環境負荷行動抑制装置のブロック図である。
【図２】環境要素データの一例を示す図である。
【図３】図２の環境要素データより生成された連鎖グラフである。
【図４】電力量データの一例を示す図である。
【図５】負の連鎖集合の抽出処理を説明するためのフローチャートである。
【図６】負の連鎖候補集合の一例を示す図である。
【図７】代替案生成部が満たすべき環境要素が強調された連鎖グラフである。
【図８】負の連鎖を説明するための図である。
【符号の説明】
【００５１】
１…機器情報データベース、２…機器情報入力部、３…連鎖グラフ生成部、４…消費電力量データベース、５…観測データ入力部、６…候補生成部（機器集合データ生成部）、７…負の連鎖集合抽出部（負の連鎖機器集合データ抽出部）、８…代替案生成部（代替機器集合データ生成部）、９…レポート出力部、１０−１７…頂点、１８−２７…有向辺。
【図１】
2008152633.tif 000003
【図２】
2008152633.tif 000004
【図３】
2008152633.tif 000005
【図４】
2008152633.tif 000006
【図５】
2008152633.tif 000007
【図６】
2008152633.tif 000008
【図７】
2008152633.tif 000009
【図８】
2008152633.tif 000010